(57)【要約】【課題】  放電型表示パネルに発生した残像を効果的に除去することができる放電型表示パネルの駆動装置を提供すること。【解決手段】  異なる色に発光する複数のセルＣＬを有する複数の画素ＰＥによって構成されたＰＤＰ１１０の駆動装置１２０において、少なくとも１つのセルＣＬが点灯した状態と少なくとも１つのセルＣＬが消灯した状態とを組み合わせた複数の発光態様を周期的に切り換える駆動パターンを示す駆動データを保持する記録部１２４と、保持された駆動データに基づいてＰＤＰ１１０を駆動する制御部１２５と、を備えるようにＰＤＰ１１０の駆動装置１２０を構成する。【選択図】  図１
2005195719.tif 000002
【特許請求の範囲】
【請求項１】
異なる色に発光する複数のセルを有する複数の画素によって構成された放電型表示パネルの駆動装置において、
少なくとも１つの前記セルが点灯した状態と少なくとも１つの前記セルが消灯した状態とを組み合わせた複数の発光態様を周期的に切り換える駆動パターンを示す駆動データを保持する保持手段と、
前記保持された駆動データに基づいて前記放電型表示パネルを駆動する駆動手段と、
を備えることを特徴とする放電型表示パネルの駆動装置。
【請求項２】
請求項１に記載の放電型表示パネルの駆動装置において、
前記駆動パターンは、一の前記セルが点灯した状態を一周期に同数発生させるものであることを特徴とする放電型表示パネルの駆動装置。
【請求項３】
請求項１または請求項２に記載の放電型表示パネルの駆動装置において、
複数の前記セルが第１のセル、第２のセルおよび第３のセルを含み前記第２のセルが前記第１のセルと前記第３のセルとの間に配置された場合に、
前記駆動パターンは、前記第２のセルが消灯するとともに前記第１のセルおよび前記第３のセルが点灯する第１の態様と前記第２のセルが点灯するとともに前記第１のセルおよび前記第３のセルが消灯する第２の態様とを周期的に切り換えるものであることを特徴とする放電型表示パネルの駆動装置。
【請求項４】
請求項１または請求項２に記載の放電型表示パネルの駆動装置において、
複数の前記セルが第１のセル、第２のセルおよび第３のセルを含み前記第２のセルが前記第１のセルと前記第３のセルとの間に配置された場合に、
前記駆動パターンは、前記第２のセルが消灯するとともに前記第１のセルおよび前記第３のセルが点灯する第１の態様と前記第１のセルが消灯するとともに前記第２のセルおよび前記第３のセルが点灯する第２の態様と前記第３のセルが消灯するとともに前記第１のセルおよび前記第２のセルが点灯する第３の態様とを周期的に切り換えるものであることを特徴とする放電型表示パネルの駆動装置。
【請求項５】
請求項３または請求項４に記載の放電型表示パネルの駆動装置において、
複数の前記画素が第１の画素および第２の画素を含み前記第１の画素の前記第２のセルと前記第２の画素の前記第２のセルとが隣接する場合に、
前記駆動パターンは、前記第１の画素および前記第２の画素を異なる前記発光態様にするものであることを特徴とする放電型表示パネルの駆動装置。
【請求項６】
請求項３または請求項４に記載の放電型表示パネルの駆動装置において、
複数の前記画素が第１の画素および第２の画素を含み前記第１の画素の前記第２のセルと前記第２の画素の前記第２のセルとが隣接する場合に、
前記駆動パターンは、前記第１の画素および前記第２の画素を同一の前記発光態様にするものであることを特徴とする放電型表示パネルの駆動装置。
【請求項７】
複数の電極と当該電極を被覆する誘電体層と当該誘電体層を保護する保護層とによって形成され異なる色に発光する複数のセルを有する複数の画素によって構成された放電型表示パネルの駆動装置において、
少なくとも１つの前記セルが点灯した状態と少なくとも１つの前記セルが消灯した状態とを組み合わせた複数の発光態様を周期的に切り換える駆動パターンを示す駆動データを保持する保持手段と、
前記保持された駆動データに基づいて前記放電型表示パネルを駆動する駆動手段と、
を備えることを特徴とする放電型表示パネルの駆動装置。
【発明の詳細な説明】
【技術分野】
【０００１】
本願は、異なる色に発光する複数のセルを有する複数の画素によって構成された放電型表示パネルの技術分野に属する。
【背景技術】
【０００２】
従来、この種の放電型表示パネルの一例として、異なる色に発光する複数のセルを有する複数の画素によって構成されたプラズマディスプレイパネルが知られている（例えば、特許文献１参照）。
【０００３】
このような従来のプラズマディスプレイパネルは、壁電荷が蓄積されたセルにパルスを印加することによってセルを発光させる表示制御装置（本願における「駆動装置」に相当する。）によって駆動されるようになっている。
【特許文献１】特開２００３−２９６９８号公報（第３頁、第１図）
【発明の開示】
【発明が解決しようとする課題】
【０００４】
しかしながら、上述した従来のプラズマディスプレイパネルでは、壁電荷が完全に消去されなかったセルが継続的に発光することによって残像が発生するという事情があった。
【０００５】
そこで、本願は、上述した事情を鑑みてなされたものであり、その課題の一例として、放電型表示パネルに発生した残像を効果的に除去することができる放電型表示パネルの駆動装置を提供することを目的とする。
【課題を解決するための手段】
【０００６】
上述した課題を解決するために、請求項１に記載の放電型表示パネルの駆動装置は、異なる色に発光する複数のセルを有する複数の画素によって構成された放電型表示パネルの駆動装置において、少なくとも１つの前記セルが点灯した状態と少なくとも１つの前記セルが消灯した状態とを組み合わせた複数の発光態様を周期的に切り換える駆動パターンを示す駆動データを保持する保持手段と、前記保持された駆動データに基づいて前記放電型表示パネルを駆動する駆動手段と、を備えることを特徴とする構成を有している。
【０００７】
また、請求項７に記載の放電型表示パネルの駆動装置は、複数の電極と当該電極を被覆する誘電体層と当該誘電体層を保護する保護層とによって形成され異なる色に発光する複数のセルを有する複数の画素によって構成された放電型表示パネルの駆動装置において、少なくとも１つの前記セルが点灯した状態と少なくとも１つの前記セルが消灯した状態とを組み合わせた複数の発光態様を周期的に切り換える駆動パターンを示す駆動データを保持する保持手段と、前記保持された駆動データに基づいて前記放電型表示パネルを駆動する駆動手段と、を備えることを特徴とする構成を有している。
【発明を実施するための最良の形態】
【０００８】
以下、本願を実施するための最良の形態について図面を用いて説明する。なお、以下に説明される実施形態は、本願に係る放電型表示パネルを、例えば、プラズマディスプレイパネル（以下、「ＰＤＰ（Plasma Display Panel）」という。）に適用した場合の実施形態を示している。
【０００９】
まず、本実施形態におけるＰＤＰおよび駆動装置の構成ついて図１および図２を用いて説明する。なお、図１は、本実施形態におけるＰＤＰおよび駆動装置の構成を示すブロック図であり、図２は、図１に示したＰＤＰの断面図である。
【００１０】
本実施形態におけるＰＤＰ１１０は、図１に示すように、異なる色に発光する複数のセルＣＬを有する複数の画素ＰＥによって構成されており、駆動装置１２０によって駆動されるようになっている。このように構成されたＰＤＰ１１０は、アドレスドライバ１１１と、サステインドライバ１１２、１１３とを備えている。
【００１１】
アドレスドライバ１１１は、ＰＤＰ１１０に対して垂直方向に並置された列電極Ｄ１〜Ｄｍを有しており、駆動装置１２０から入力された表示信号に対応するデータパルスを生成し、当該生成されたデータパルスを列電極Ｄ１〜Ｄｍに印加するようになっている。
【００１２】
サステインドライバ１１２は、ＰＤＰ１１０に対して水平方向に並置された行電極Ｘ１〜Ｘｎを有しており、駆動装置１２０から入力された駆動信号に対応するサステインパルスを生成し、当該生成されたサステインパルスを行電極Ｘ１〜Ｘｎに印加するようになっている。
【００１３】
サステインドライバ１１３は、ＰＤＰ１１０に対して水平方向に並置された行電極Ｙ１〜Ｙｎを有しており、駆動装置１２０から入力された駆動信号に対応するサステインパルスを生成し、当該生成されたサステインパルスを行電極Ｙ１〜Ｙｎに印加するようになっている。
【００１４】
このように構成されたＰＤＰ１１０は、図２に示すように、表示面としての前面ガラス基板１１４の内面に、行電極Ｘ１〜Ｘｎおよび行電極Ｙ１〜Ｙｎが一対に形成されている。当該行電極Ｘ１〜Ｘｎおよび行電極Ｙ１〜Ｙｎには、誘電体層１１５が被覆されている。当該誘電体層１１５には、ＭｇＯ（酸化マグネシウム）などの保護層１１６が蒸着されている。当該保護層１１６と背面ガラス基板１１７との間には、放電空間１１８が形成されている。背面ガラス基板１１７には、蛍光体が塗布された列電極Ｄ１〜Ｄｍが形成されている。なお、行電極Ｘ１〜Ｘｎおよび行電極Ｙ１〜Ｙｎは、一の行電極Ｘと一の行電極Ｙとが平行に配置されて複数の水平ラインを構成しており、一の水平ラインと一の列電極Ｄとが交差する部位には、複数のセルＣＬが形成されている。
【００１５】
本実施形態における駆動装置１２０は、図１に示すように、Ａ／Ｄ（Analog/Digital）コンバータ１２１および差動／パラレル変換部１２６と、表示信号生成部１２２と、フレームメモリ１２３と、ＰＤＰ１１０を駆動するための駆動パターンを示す駆動データを保持する保持手段の一例としての記録部１２４と、記録部１２４に保持された駆動データに基づいてＰＤＰ１１０を駆動する駆動手段の一例としての制御部１２５とを備えている。
【００１６】
Ａ／Ｄコンバータ１２１は、制御部１２５から入力された制御信号に基づいて、外部から入力されたアナログ画像信号を、例えば、８ｂｉｔにディジタル化することによってディジタル画像信号を生成し、当該生成された画像信号を表示信号生成部１２２に出力するようになっている。
【００１７】
差動／パラレル変換部１２６は、制御部１２５から入力された制御信号に基づいて、ＤＶＩ（Digital Video Interactive）フォーマット、ＨＤＭＩ（High Definition Multimedia Interface）フォーマットなどの差動信号を外部から取得し、当該取得された差動信号をパラレル変換することによって、例えば、２８ｂｉｔのディジタル画像信号を生成し、当該生成されたディジタル画像信号を表示信号生成部１２２に出力するようになっている。
【００１８】
表示信号生成部１２２は、制御部１２５から入力された制御信号に基づいて、入力された画像信号に対して、誤差拡散処理、ディザ処理などの多階調化処理を行って、例えば、４ｂｉｔに圧縮することにより表示信号を生成し、当該生成された表示信号をフレームメモリ１２３に出力するようになっている。
【００１９】
フレームメモリ１２３は、制御部１２５から入力された制御信号に基づいて、表示信号生成部１２２から入力された表示信号を一時的に格納し、当該格納された表示信号をＰＤＰ１１０の水平ライン毎にアドレスドライバ１１１に出力するようになっている。
【００２０】
記録部１２４には、ＰＤＰ１１０を駆動するための駆動パターンを示す駆動データが予め記録されている。当該駆動パターンについては後述する。
【００２１】
制御部１２５は、記録部１２４に記録された駆動データを読み出し、当該読み出された駆動データに基づいて画像信号を生成し、当該生成された残像除去用の画像信号を表示信号生成部１２２に出力するようになっている。
【００２２】
表示信号生成部１２２は、制御部１２５から入力された制御信号に基づいて、制御部１２５から入力された残像除去用の画像信号に対応する表示信号を生成し、当該生成された残像除去用の表示信号をフレームメモリ１２３に出力するようになっている。
【００２３】
フレームメモリ１２３は、制御部１２５から入力された制御信号に基づいて、表示信号生成部１２２から入力された残像除去用の表示信号を一時的に格納し、当該格納された表示信号をＰＤＰ１１０の水平ライン毎にアドレスドライバ１１１に出力するようになっている。
【００２４】
このように構成された駆動装置１２０は、画像の階調表示を実現するために、各セルＣＬの放電回数を制御する、所謂、サブフィールド法を用いてＰＤＰ１１０を駆動するようになっている。当該サブフィールド法については後述する。
【００２５】
次に、上述した駆動パターンについて図３および図４を用いて説明する。なお、図３は、図１に示したＰＤＰの画素の平面図であり、図４は、図１に示したＰＤＰの画素の平面図である。
【００２６】
駆動パターンは、ＰＤＰ１１０に発生した残像を効果的に除去するためのものであり、例えば、各画素ＰＥにおいて、少なくとも１つのセルＣＬが点灯した状態と少なくとも１つのセルＣＬが消灯した状態とを組み合わせた複数の発光態様を周期的に切り換えるものであって、一のセルＣＬが点灯した状態を一周期に同数発生させるものである。
【００２７】
具体的には、図３に示すように、上述した複数のセルＣＬは、Ｒｅｄ（以下、「Ｒ」と示す。）に発光する第１のセルＣＬ１、Ｇｒｅａｎ（以下、「Ｇ」と示す。）に発光する第２のセルＣＬ２、および、Ｂｌｕｅ（以下、「Ｂ」と示す。）に発光する第３のセルＣＬ３を含んでおり、第２のセルＣＬ２が第１のセルＣＬ１と第３のセルＣＬ３との間に配置されている。また、上述した複数の画素ＰＥは、第１の画素ＰＥ１、第２の画素ＰＥ２および第３の画素ＰＥ３を含んでおり、第１の画素ＰＥ１の第２のセルＣＬ２と第２の画素ＰＥ２の第２のセルＣＬ２と第３の画素ＰＥ３の第２のセルＣＬ２とが隣接するようになっている。
【００２８】
このように構成されたＰＤＰ１１０において、上述した駆動パターンは、図４に示すように、第２のセルＣＬ２が消灯するとともに第１のセルＣＬ１および第３のセルＣＬ３が点灯する第１の態様（ＰＥ１およびＰＥ３は図４（ａ）、ＰＥ２は図４（ｂ）参照）と第２のセルＣＬ２が点灯するとともに第１のセルＣＬ１および第３のセルＣＬ３が消灯する第２の態様（ＰＥ１およびＰＥ３は図４（ｂ）、ＰＥ２は図４（ａ）参照）とを周期的（例えば、１／６０秒毎）に切り換えるものである。また、上述した駆動パターンは、第１のセルＣＬ１が点灯した状態を一周期に１回発生させ、第２のセルＣＬ２が点灯した状態を一周期に１回発生させ、第３のセルＣＬ３が点灯した状態を一周期に１回発生させるものである。さらに、上述した駆動パターンは、第１の画素ＰＥ１および第２の画素ＰＥ２を異なる発光態様にするものである。ここで、図中の黒丸は、セルが消灯していることを示している。
【００２９】
このようにして、ＰＤＰ１１０に表示された画像は、残像除去用の画像であって、疑似的に白色を示している。この残像除去用の画像は、ＰＤＰ１１０の全体に表示されてもよく、ＰＤＰ１１０の一部に表示されてもよい。また、ＰＤＰ１１０上を所定の方向に移動するように表示されてもよい。
【００３０】
次に、上述したサブフィールド法について図５および図６を用いて説明する。なお、図５は、図１に示したＰＤＰの駆動原理を示す図であり、図６は、図１に示したＰＤＰの駆動波形を示す図である。
【００３１】
サブフィールド法は、図５に示すように、セルＣＬの一表示期間としてのフィールドＦＬをｎ個のサブフィールドＳＦ１〜ＳＦｎに分割し、当該分割されたサブフィールドＳＦ１〜ＳＦｎにセルＣＬの放電回数を割り当てるようになっている。一般に、ＮＴＳＣ（National TV Standards Committee）方式の画像信号では、１秒間が３０フレームからなるとともに１フレームが２フィールドからなるので、１秒間が６０フィールドに対応している。
【００３２】
各サブフィールドＳＦ１〜ＳＦｎには、セルＣＬを初期化するリセット期間、セルＣＬを点灯可能にする点灯状態とセルＣＬを点灯不能にする消灯状態とを選択的に設定するアドレス期間、および、点灯状態に設定されたセルＣＬを継続的に点灯させるサステイン期間が設けられている。
【００３３】
まず、リセット期間においては、図６中の上から２段目に示すように、リセットパルスＲＰｘが行電極Ｘ１〜Ｘｎに印加されるとともに、図６中の上から３段目に示すように、リセットパルスＲＰｙが行電極Ｙ１〜Ｙｎに印加されることによって、リセット放電が発生し、全てのセルＣＬに壁電荷が蓄積されるようになっている。
【００３４】
次に、アドレス期間においては、図６中の上から１段目に示すように、データパルスＤＰが列電極Ｄ１〜Ｄｍに印加されるとともに、図６中の上から３段目に示すように、スキャンパルスＳＰが行電極Ｙ１〜Ｙｎに印加されるようになっている。このときに、セルを点灯状態に設定する場合には、データパルスＤＰがセルＣＬに印加されないことによって消去放電が発生せず、セルＣＬに蓄積された壁電荷が残留するようになっている。一方、セルＣＬを消灯状態に設定する場合には、データパルスＤＰがセルＣＬに印加されることによって消去放電が発生し、セルＣＬに蓄積された壁電荷が消去されるようになっている。
【００３５】
次に、サステイン期間においては、図６中の上から２段目に示すように、サステインパルスＩＰｘが行電極Ｘ１〜Ｘｎに印加されるとともに、図６中の上から３段目に示すように、サステインパルスＩＰｙが行電極Ｙ１〜Ｙｎに印加される。このときに、点灯状態に設定されたセルＣＬでは、サステイン放電が発生し、セルＣＬが発光するようになっている。一方、消灯状態に設定されたセルＣＬでは、サステイン放電が発生せず、セルＣＬが発光しないようになっている。
【００３６】
このようにして、リセット期間、アドレス期間およびサステイン期間からなる一連の駆動工程をサブフィールドＳＦ１〜ＳＦｎ毎に繰り返して行うことによって、サステイン放電の回数に対応する階調表示が実現されるようになっている。
【００３７】
そして、フィールドＦＬの最後には、図５に示すように、消去期間が設けられており、当該消去期間においては、消去パルスが印加されることによって消去放電が発生し、セルＣＬに蓄積された壁電荷が消去されるようになっている。このときに、セルＣＬに蓄積された壁電荷が完全に消去されなかった場合には、セルＣＬが継続的に発光し、ＰＤＰ１１０に残像が発生することになる。
【００３８】
以上説明したように、本実施形態では、ＰＤＰ１１０の駆動装置１２０は、異なる色に発光する複数のセルＣＬを有する複数の画素ＰＥによって構成されたＰＤＰ１１０の駆動装置１２０において、少なくとも１つのセルＣＬが点灯した状態と少なくとも１つのセルＣＬが消灯した状態とを組み合わせた複数の発光態様を周期的に切り換える駆動パターンを示す駆動データを保持する記録部１２４と、保持された駆動データに基づいてＰＤＰ１１０を駆動する制御部１２５と、を備えることを特徴とする構成を有している。
【００３９】
この構成により、本実施形態では、駆動データに基づいてＰＤＰ１１０を駆動することによって、少なくとも１つのセルＣＬが点灯した状態と少なくとも１つのセルＣＬが消灯した状態とを組み合わせた複数の発光態様を周期的に切り換えるので、セルに蓄積された壁電荷を完全に消去することができ、ＰＤＰ１１０に発生した残像を効果的に除去することができる。例えば、ＰＤＰ１１０では、各セルＣＬの誘電体層１１５がＭｇＯなどの保護層１１６によって覆われており、点灯したセルＣＬのＭｇＯを消灯したセルＣＬに拡散させることにより、ＭｇＯを効率よく分散させることができる。
【００４０】
また、本実施形態では、駆動パターンは、一のセルＣＬが点灯した状態を一周期に同数発生させるものであることを特徴とする構成を有している。
【００４１】
この構成により、本実施形態では、一のセルＣＬが点灯した状態を一周期に同数発生させるので、さらに、ＰＤＰ１１０に発生した残像を効果的に除去することができる。
【００４２】
また、本実施形態では、複数のセルＣＬが第１のセルＣＬ１、第２のセルＣＬ２および第３のセルＣＬ３を含み第２のセルＣＬ２が第１のセルＣＬ１と第３のセルＣＬ３との間に配置された場合に、駆動パターンは、第２のセルＣＬ２が消灯するとともに第１のセルＣＬ１および第３のセルＣＬ３が点灯する第１の態様（図４（ａ）参照）と第２のセルＣＬ２が点灯するとともに第１のセルＣＬ１および第３のセルＣＬ３が消灯する第２の態様（図４（ｂ）参照）とを周期的に切り換えるものであることを特徴とする構成を有している。
【００４３】
この構成により、本実施形態では、第１の態様（図４（ａ）参照）と第２の態様（図４（ｂ）参照）とを周期的に切り換えるので、さらに、ＰＤＰ１１０に発生した残像を効果的に除去することができる。
【００４４】
また、本実施形態では、複数の画素ＰＥが第１の画素ＰＥ１および第２の画素ＰＥ２を含み第１の画素ＰＥ１の第２のセルＣＬ２と第２の画素ＰＥ２の第２のセルＣＬ２とが隣接する場合に、駆動パターンは、第１の画素ＰＥ１および第２の画素ＰＥ２を異なる発光態様にするものであることを特徴とする構成を有している。
【００４５】
この構成により、本実施形態では、第１の画素ＰＥ１および第２の画素ＰＥ２を異なる発光態様にするので、さらに、ＰＤＰ１１０に発生した残像を効果的に除去することができる。
【００４６】
なお、本実施形態では、ＰＤＰ１１０の駆動パターンは、図４に示すように、第１の態様（図４（ａ）参照）と第２の態様（図４（ｂ）参照）とを周期的に切り換えるものであるが、これに限らず、図７に示すように、第２のセルＣＬ２が消灯するとともに第１のセルＣＬ１および第３のセルＣＬ３が点灯する第１の態様（図７（ａ）参照）と第１のセルＣＬ１が消灯するとともに第２のセルＣＬ２および第３のセルＣＬ３が点灯する第２の態様（図７（ｂ）参照）と第３のセルＣＬ３が消灯するとともに第１のセルＣＬ１および第２のセルＣＬ２が点灯する第３の態様（図７（ｃ）参照）とを周期的（例えば、１／６０秒毎）に切り換えるものであってもよい。
【００４７】
また、本実施形態では、ＰＤＰ１１０の駆動パターンは、図４に示すように、第１の画素ＰＥ１および第２の画素ＰＥ２を異なる発光態様にするものであるが、これに限らず、図８に示すように、第１の画素ＰＥ１および第２の画素ＰＥ２を同一の発光態様にするものであってもよい。
【図面の簡単な説明】
【００４８】
【図１】本願の一実施形態におけるＰＤＰおよび駆動装置の構成を示すブロック図である。
【図２】図１に示したＰＤＰの断面図である。
【図３】図１に示したＰＤＰの画素の平面図である。
【図４】図１に示したＰＤＰの画素の平面図である。
【図５】図１に示したＰＤＰの駆動原理を示す図である。
【図６】図１に示したＰＤＰの駆動波形を示す図である。
【図７】図１に示したＰＤＰの画素の平面図である。
【図８】図１に示したＰＤＰの画素の平面図である。
【符号の説明】
【００４９】
１１０  ＰＤＰ
１１１  アドレスドライバ
１１２  サステインドライバ
１１３  サステインドライバ
１２０  駆動装置
１２１  Ａ／Ｄコンバータ
１２２  表示信号生成部
１２３  フレームメモリ
１２４  記録部
１２５  制御部
１２６  差動／パラレル変換部
【図１】
2005195719.tif 000003
【図２】
2005195719.tif 000004
【図３】
2005195719.tif 000005
【図４】
2005195719.tif 000006
【図５】
2005195719.tif 000007
【図６】
2005195719.tif 000008
【図７】
2005195719.tif 000009
【図８】
2005195719.tif 000010